(57)【特許請求の範囲】
【請求項１】
上部にゴルフボールが載置される支持部材と、この支持部材に載置されたボールがヒットされたことを検出する検出手段と、この検出手段からの信号を受けて、前回投射された識別マークと異なる色やパターンといった識別マークを上記支持部材に投射する識別マーク投射手段とを備え、さらに上記支持部材は上部にゴルフボールが載置される中空の筒状部材を備えており、上記識別マーク投射手段は上記中空の筒状部材の内面に識別マークを投射することを特徴とするヘッドアップ防止用器具。
【請求項２】
上記支持部材は透明若しくは半透明の材料から構成されていることを特徴とする請求項１に記載のヘッドアップ防止用器具。
【請求項３】
ゴルフ練習用マットと、このゴルフ練習用マットの所要位置に形成した係合孔と、透明若しくは半透明の材料から構成されて、上面が上記マットの表面と実質的に同一表面となるように上記係合孔内に設けた支持部材と、上記ゴルフ練習用マットに載置されたボールがヒットされたことを検出する検出手段と、この検出手段からの信号を受けて、前回投射された識別マークと異なる色やパターンといった識別マークを上記支持部材に投射する識別マーク投射手段とを備えることを特徴とするヘッドアップ防止用器具。
【請求項４】
上記識別マーク投射手段は、上記支持部材の下面に識別マークを投射するようになっており、該支持部材の下面に投射された識別マークは支持部材の上面から認識できるようになっていることを特徴とする請求項３に記載のヘッドアップ防止用器具。
【請求項５】
上記識別マーク投射手段は、それぞれ異なる色を有する複数の発光素子を備えており、各発光素子をランダムにオン／オフさせることにより、ランダムに異なる色の識別マークを生成することを特徴とする請求項１ないし請求項４のいずれかに記載のヘッドアップ防止用器具。
【請求項６】
上記識別マーク投射手段は、多数の発光素子をマトリックス状に配置した表示手段と、この表示手段に表示させる複数のパターンを記憶した設定回路とを備えており、上記複数のパターンからいずれか１のパターンをランダムに選択することによってランダムに異なるパターンの識別マークを生成することを特徴とする請求項１ないし請求項５のいずれかに記載のヘッドアップ防止用器具。
【請求項７】
上記識別マーク投射手段は、上記識別マークの投射時間を調整するタイマーを備えていることを特徴とする請求項１ないし請求項６のいずれかに記載のヘッドアップ防止用器具。
【発明の詳細な説明】
【技術分野】
【０００１】
本発明はゴルフの練習用器具に関し、より詳しくは、ヘッドアップを防止するのに有効なヘッドアップ防止用器具に関する。
【背景技術】
【０００２】
従来、ヘッドアップを防止するためのゴルフ練習用器具として、人工芝の下にコイルを固定する一方、ゴルフクラブのヘッドに磁石を取付け、ゴルフクラブのヘッドが磁石の上を通過した際の電気の流れにより電球を点灯させるようにしたものが知られている（特許文献１）。
【先行技術文献】
【特許文献】
【０００３】
【特許文献１】特開平１０−５７５３８号公報
【発明の概要】
【発明が解決しようとする課題】
【０００４】
ゴルフ練習者は、上記電球の点灯を確認することによってヘッドアップの有無を確認することができるが、単純に電球の点灯の有無だけでヘッドアップの有無を確認していたので、それに慣れてしまうと、電球が点灯したものと思い込んでしまい、徐々にヘッドアップの有無の確認が困難となる。
本願発明はそのような事情に鑑み、より確実にヘッドアップの有無を確認することができるヘッドアップ防止用器具を提供するものである。
【課題を解決するための手段】
【０００５】
請求項１の発明は、上部にゴルフボールが載置される支持部材と、この支持部材に載置されたボールがヒットされたことを検出する検出手段と、この検出手段からの信号を受けて、前回投射された識別マークと異なる色やパターンといった識別マークを上記支持部材に投射する識別マーク投射手段とを備え、さらに上記支持部材は上部にゴルフボールが載置される中空の筒状部材を備えており、上記識別マーク投射手段は上記中空の筒状部材の内面に識別マークを投射することを特徴とするものである。
また請求項３の発明は、ゴルフ練習用マットと、このゴルフ練習用マットの所要位置に形成した係合孔と、透明若しくは半透明の材料から構成されて、上面が上記マットの表面と実質的に同一表面となるように上記係合孔内に設けた支持部材と、上記ゴルフ練習用マットに載置されたボールがヒットされたことを検出する検出手段と、この検出手段からの信号を受けて、前回投射された識別マークと異なる色やパターンといった識別マークを上記支持部材に投射する識別マーク投射手段とを備えることを特徴とするものである。
【発明の効果】
【０００６】
請求項１及び請求項３の発明によれば、検出手段によってボールがヒットされたことが検出されると、識別マーク投射手段が前回投射された識別マークと異なる色やパターンといった識別マークを上記支持部材に投射するので、ゴルフ練習者はヘッドアップを防止するためには、ボールをヒットした都度、異なる識別マークを認識しなければならない。
したがって、従来に比較して、より確実にヘッドアップの有無を確認することができる。
【図面の簡単な説明】
【０００７】
【図１】本発明の第１実施例の断面図。
【図２】図１の検出手段６の拡大図。
【図３】本発明の第２実施例の断面図。
【発明を実施するための形態】
【０００８】
以下図示実施例について本発明を説明すると、図１において、本発明に係るヘッドアップ防止用器具は、柔軟性と耐衝撃性とを備えたゴムなどの弾性材料からなるティー１を備えており、このティー１にゴルフボール２を載置させることができるようになっている。
上記ティー１は、上部にゴルフボール２が載置される支持部材としての中空円筒状の筒状部材１ａと、該筒状部材１ａの下端部に一体に連設された円板状のベース部材１ｂとを備えている。
【０００９】
上記ティー１は、ゴルフ練習用のマット３にセットして使用されるようになっており、上記筒状部材１ａはマット３の所要位置に穿設された貫通孔３ａに下方から上方に挿通され、かつベース部材１ｂはマット３の下面に形成された円形状凹部３ｂ内に収容されるようになっている。
この状態では、上記ティー１はマット３の重量によって所要の位置に固定保持されるようになり、この状態で上記筒状部材１ａの上部にボール２が載置されて、ドライバーなどのゴルフクラブによってボール２がヒットされるようになる。
【００１０】
本実施例では、上記筒状部材１ａの内部にＲＧＢの３色を別個に投射することによって、種々の色を発色させることができるようにした識別マーク投射手段４を設けている。
この投射手段４は、上記筒状部材１ａの内側底部に設けた、ＲＧＢの３色を別個に発光させるための３つのＬＥＤ素子５ａ〜５ｃを備えており、各ＬＥＤ素子５ａ〜５ｃを単独又は複数で発光させることにより、種々の色を発色させることができるようにしてある。
また上記ベース部材１ｂの内側底部に、ティー１上に載置されたボール２がヒットされたことを検出する検出手段６を設けてある。この検出手段６は、図２に拡大して示すように、コイルスプリング６ａからなる第１接触子と、このコイルスプリング６ａの中心軸位置に設けた針状部材６ｂからなる第２接触子とを備えており、これらコイルスプリング６ａと針状部材６ｂとでスイッチを構成してある。
【００１１】
図１に示すように、上記コイルスプリング６ａは、その軸方向を筒状部材１ａの軸方向に平行に配置すると同時に、該コイルスプリング６ａの外周面を筒状部材１ａの内周面に接触させてあり、他方コイルスプリング６ａの中心軸位置に設けた針状部材６ｂは、通常は、コイルスプリング６ａの内周面と接触しないようにそれから離隔させてある。
これにより通常はスイッチを構成するコイルスプリング６ａと針状部材６ｂを開成させているが、ティー１上に載置されたボール２がヒットされて筒状部材１ａが振動された際には、針状部材６ｂを筒状部材１ａの振動によって大きく振動されるコイルスプリング６ａの内周面に接触させて該スイッチを閉成させ、それによってボール２がヒットされたことを検出することができるようにしてある。
【００１２】
上記各ＬＥＤ素子５ａ〜５ｃ及び検出手段６に接続した配線７は、ティー１からマット３の下面を通してマット３の外部に配置したケース１１内の電子回路１２に接続してある。本実施例においては、上記３つのＬＥＤ素子５ａ〜５ｃと電子回路１２とによって、上記識別マーク投射手段４を構成してある。
上記電子回路１２は、上記検出手段６からの信号を入力すると、その都度、各ＬＥＤ素子５ａ〜５ｃのオン／オフ状態をそれぞれランダムに設定するとともにそれを記憶する設定回路１３と、この設定回路１３によって設定されたオン／オフ信号に基づいて各ＬＥＤ素子５ａ〜５ｃをオン／オフさせる駆動回路１４とを備えている。
なお、上記設定回路１３によって全てのＬＥＤ素子５ａ〜５ｃがオフ状態となることが選択された場合には、全てのＬＥＤ素子５ａ〜５ｃをオン状態としたり、或いは設定をやり直して、全てのＬＥＤ素子５ａ〜５ｃが発光されない状態が生じないようにしてある。
【００１３】
さらに上記電子回路１２は、駆動回路１４の駆動時間を設定するタイマー１５を備えており、このタイマー１５は上記検出手段６からの信号を入力してから、すなわちボール２がヒットされてから、第１設定時間後に、第２設定時間だけ駆動回路１４を駆動させて、その間だけ上記設定回路１３によって設定されたオン／オフ信号に基づいて各ＬＥＤ素子５ａ〜５ｃをオン／オフさせることができるようにしてある。
上記第１設定時間と第２設定時間は、それぞれ上記ケース１１に設けた第１タイマー調節手段１６ａと第２タイマー調節手段１６ｂとによって調整することができるようにしてある。
第１設定時間は、例えば上記検出手段６からの信号を入力したら直ちに各ＬＥＤ素子５ａ〜５ｃをオン／オフさせるために０に設定したり、或いは０．０５秒とか０．１秒後といった第１設定時間が経過した後に、各ＬＥＤ素子５ａ〜５ｃをオン／オフさせることができるようにしてある。
他方、第２設定時間は、第１設定時間の経過後の時間を設定するもので、それによって第１設定時間の経過後に例えば０．０５秒とか０．１秒といった第２設定時間が経過したら、全てのＬＥＤ素子５ａ〜５ｃをオフさせることができるようにしてある。なお、第２設定時間を設定しないか又は連続に設定することにより、各ＬＥＤ素子５ａ〜５ｃのオン／オフ状態をそのまま継続させることができるようにしてある。
【００１４】
さらに、上記ケース１１に再発光ボタン１７を設けてあり、該再発光ボタン１７を押した際には、第２設定時間が経過して全てのＬＥＤ素子５ａ〜５ｃがオフされていても、上記設定回路１３に記憶されているオン／オフ信号に基づいて各ＬＥＤ素子５ａ〜５ｃのオン／オフ状態を再現させることができるようにしてある。
なお図示しないが、上記電子回路１２の電源は、ケースに設けた電源スイッチによってオン／オフさせることができるようになっている。
【００１５】
以上の構成において、ゴルフの練習者は、先ず上記ティー１をゴルフ練習用のマット３にセットするとともに、ケース１１をスイングの邪魔にならない所要の位置にセットする。次に、電子回路１２の電源をオンさせるとともに、第１タイマー調節手段１６ａと第２タイマー調節手段１６ｂとによってそれぞれ第１設定時間と第２設定時間とを手動によって適宜に調整する。
この状態において、ティー１の上にボール２を載置してこれをヒットすれば、そのことが検出手段６によって検出され、その信号が設定回路１３に入力されるので、該設定回路１３は各ＬＥＤ素子５ａ〜５ｃのオン／オフ状態をそれぞれランダムに設定してそれを記憶する。これにより駆動回路１４は、設定回路１３に記憶されたオン／オフ信号に基づいて、タイマー１５の第１設定時間から第２設定時間の間だけ、各ＬＥＤ素子５ａ〜５ｃをオン／オフさせる。
【００１６】
このとき、例えばＲ（レッド）のＬＥＤ素子５ａのみが発光された場合には、ティー１の筒状部材１ａの内部が赤色に発色されるので、ゴルフ練習者はヘッドアップをしていなければ、その赤色を認識することができる。ゴルフスイングのフィニッシュでは、通常ゴルフ練習者は打ったボールを追っているのでティー１を見ていることは無いが、発光された赤色が記憶に残っていれば、ヘッドアップをしていなかったことが確認できる。
これに対しヘッドアップした場合には、ゴルフ練習者がゴルフスイングのフィニッシュを取ったときに、筒状部材１ａの内部の色を認識することができず、それによってヘッドアップをしていたことを確認することができる。
このとき、上記赤色のＬＥＤ素子５ａが継続されて発光されている場合には、ティー１を見ることによってヘッドアップの有無を再確認することができ、ＬＥＤ素子５ａが消灯されている場合には、上記再発光ボタン１７を押して赤色のＬＥＤ素子５ａを再点灯させることによって、ヘッドアップの有無を再確認することができる。
そして本実施例では、ボール２がヒットされた都度、各ＬＥＤ素子５ａ〜５ｃのオン／オフ状態に応じて種々の色が発色されるので、ゴルフ練習者はその都度の色を確認しなければならず、それによって確実にヘッドアップの防止を図ることができる。
さらに、上記タイマー１５の第１設定時間や第２設定時間を適宜に設定することにより、ヘッドアップの有無の確認条件を易しく設定したり、或いは厳しく設定することが可能となる。
【００１７】
なお、ティー１の筒状部材１ａの高さは、使用クラブによって、また練習者の好みによって異なるので、異なる高さのティー１を準備するとともに、上記ティー１と電子回路１２とを接離可能とすることによって、好みの高さのティー１を選択して１つの電子回路１２に接続するようにしても良い。
また、電子回路１２を小型に製作することができる場合には、該電子回路１２をティー１の内部に収容しても良いことは勿論である。電子回路１２を小型に製作するためには、例えばタイマー１７を省略するなどして簡素化を図ることが有効である。そして電子回路１２をティー１の内部に収容することができれば、ヘッドアップ防止用器具の持ち運びが容易となる。
【００１８】
図３は本発明の第２実施例を示すもので、上述した第１実施例ではティー１に載置したボール２をヒットするようにしていたが、本実施例はティーを用いることなくマット上に載置したボールをヒットできるようにしたものであり、特にパター練習に好適なものである。
本実施例のヘッドアップ防止用器具は、ゴルフ練習用マット２１の所要位置に穿設した係合孔２１ａと、この係合孔２１ａ内に固着されて、上部にゴルフボール２が載置される支持部材としての円柱状部材２２とを備えている。この円柱状部材２２は上記ティー１と同様に柔軟性と耐衝撃性とを備えた弾性材料で製造してあり、かつ透明若しくは半透明となっている。
【００１９】
上記円柱状部材２２の上面は、マット２１の表面と実質的に同一平面となっており、この円柱状部材２２の上面にゴルフボール２を載置できるようにしてある。このとき、円柱状部材２２の直径はボール２の直径よりも小さく、それによってパット練習する際には、該円柱状部材２２の上面がボール２によって覆われて、ゴルフ練習者に見えなくなるようにしてある。
他方、円柱状部材２２の下面はマット２１の底面よりも上方位置となっており、円柱状部材２２の下面とマット２１の底面との間に、後に詳述する光ファイバー２３の先端部を配置するスペースを設けてある。
【００２０】
上記円柱状部材２２の下部外周面には、円柱状部材２２の上面に載置されたボール２がヒットされたことを検出するフィルム状の検出手段２４を巻きつけてある。
この検出手段２４としては、例えば特開平７−５７１号公報に記載されている圧電フィルムを利用することができ、この圧電フィルムによってボール２がヒットされた際に生じる円柱状部材２２の圧力変動を検出させることにより、ボール２がヒットされたことを検出することができる。
上記円柱状部材２２の下方の外周面は、圧電フィルムからなる検出手段２４の厚さ分だけ切除してあり、その切除部分に圧電フィルムを巻きつけてある。
【００２１】
上記マット２１の側面には、ボール２をヒットするのに邪魔にならない位置にケース２６を固定して設けてあり、この内部に電子回路２７を設けてある。
上記電子回路２７は、多数のＬＥＤ素子などの発光素子をマトリックス状に配置した表示手段２８を備えており、この表示手段２８に表示されたパターンを上記光ファイバー２３を介して円柱状部材２２の上面に表示させることができるようにしてある。
上記光ファイバー２３をマット２１内に配置するために、一端を上記係合孔２１ａに連通させた連通溝２１ｂをマット２１の底面に形成してあり、この連通溝２１ｂの他端は上記ケース２６内に配置した表示手段２８に臨ませている。そして上記連通溝２１ｂ内に上記光ファイバー２３を配置して、該光ファイバー２３の一端を上方に湾曲させて上記円柱状部材２２の下面に対向させ、また他端は上記表示手段２８の表示面に対向させている。
【００２２】
上記光ファイバー２３は多数の光ファイバーを整列させた状態で束ねて構成したもので、したがって表示手段２８に表示されたパターンは、光ファイバー２３を介して円柱状部材２２の下面に投射されることになり、該パターンは、透明若しくは半透明の材質からなる円柱状部材２２の上面から読み取ることができるようになる。
【００２３】
上記電子回路２７は、上記表示手段２８に表示させるパターンを多数記憶した設定回路２９を備えており、該設定回路２９は図示しない配線を介して上記検出手段２４からの信号を入力すると、その都度、記憶した多数のパターンから１つのパターンをランダムに選択して記憶するようになっている。
そしてこの設定回路２９で選択されたパターンは、駆動回路３０によって表示手段２８に表示されるようになっている。
電子回路２７のその他の構成は前述した第１実施例と同様に構成してあり、第１実施例と同一若しくは同等の部分には第１実施例と同一の符号を付して示してある。また、本実施例では、光ファイバー２３と電子回路２７とによって識別マーク照射手段３１を構成してある。
【００２４】
上述した構成の第２実施例においては、ゴルフの練習者は、先ず電子回路２７の電源をオンさせるとともに、第１タイマー調節手段１６ａと第２タイマー調節手段１６ｂとによってそれぞれ第１設定時間と第２設定時間とを手動によって適宜に調整する。
この状態において、円柱状部材２２の上にボール２をセットしてこれをヒットすれば、そのことが検出手段２４によって検出され、その信号が設定回路２９に入力されるので、該設定回路２９は予め記憶された多数のパターンの中から１つのパターンをランダムに選択して記憶する。これにより駆動回路３０は、設定回路２９に記憶されたパターンを、タイマー１５の第１設定時間から第２設定時間の間だけ、表示手段２８に表示させる。
【００２５】
このとき、例えば「▲」という形状のパターンが表示手段２８に表示された場合には、このパターンは光ファイバー２３を介して円柱状部材２２の下面に投射されて、透明若しくは半透明の材質からなる円柱状部材２２の上面から読み取ることができるようになる。
このとき、仮にゴルフ練習者がヘッドアップをしていなければ「▲」というパターンを認識することができるので、そのパターンが記憶に残っていればヘッドアップをしていなかったことが確認できる。これに対しヘッドアップした場合には、そのパターンを認識することができないので、ヘッドアップをしていたことを確認することができる。
本実施例のように各種のパターンによって、例えば「▲」や「●」、或いは数字などのパターンを認識することによってヘッドアップの有無を確認するほうが、第１実施例のように色の相違によってヘッドアップの有無を確認するよりも、より表示部分（円柱状部材２２の上面）を注視しなければならないので、特にパターのようにヘッドアップの量（目線の移動量）がティーショットに比較して小さい場合に効果的である。
そして本実施例においても、上記タイマー１５の第１設定時間や第２設定時間を適宜に設定することにより、ヘッドアップの有無の確認条件を易しく設定したり、或いは厳しく設定することが可能となる。
【００２６】
なお第２実施例において、光ファイバー２３を省略して円柱状部材２２の下面に直接表示手段２８を配置しても良い。或いは、表示手段２８の代わりに第１実施例のＬＥＤ素子５ａ〜５ｃをケース２６内に設けて、各ＬＥＤ素子５ａ〜５ｃの光を３本の光ファイバーを介して円柱状部材２２の下面や外周面に投射させるようにしても良い。
他方、第１実施例においても、第２実施例と同様に、各ＬＥＤ素子５ａ〜５ｃをケース１１内に設けるとともに、各ＬＥＤ素子５ａ〜５ｃの光を３本の光ファイバーを介して筒状部材１ａ内に投射させるようにしても良い。また、第１実施例における筒状部材１ａを第２実施例の円柱状部材２２と同様に中実の透明又は半透明の部材から構成して、該円柱状部材２２の下面に表示手段２８からの識別マークを上記光ファイバー２３を介して投射したり、或いは直接投射したりしてもよい。筒状部材１ａの代わりに中実の円柱状部材２２を用いてティー１を構成する場合には、ボール２の脱落を防止するために、円柱状部材２２の上面に円柱状の窪みを形成することが好ましい。
【００２７】
さらに、検出手段６、２４としては上記実施例のものに限定されるものではない。その他の検出手段として、ボール２がヒットされた際の打球音を検出する検出手段であっても、或いは筒状部材１ａや円柱状部材２２の上部に載置されるボール２の有無を検出する検出手段であっても良い。要するに、ボール２がヒットされたことが結果的に検出できるものであれば、如何なる構成の検出手段であっても良い。
また、従来公知の自動又は半自動ティーアップ装置に本発明を組み込むことが可能であり、その場合には、必要に応じて、自動又は半自動ティーアップ装置が有するボールの有無を検出する検出手段と本発明の上記検出手段６又は２４とを兼用させることが可能である。
さらに、電子回路１２、２７の構成も上述の構成に限定されるものではなく、ボールがヒットされた際に、異なる色やパターンといった識別マークを生成することができれば良い。
【符号の説明】
【００２８】
１  ティー                          １ａ  筒状部材（支持部材）
１ｂ  ベース部材                    ２  ゴルフボール
３、２１  ゴルフ練習用マット        ４、３１  識別マーク投射手段
５ａ〜５ｃ  ＬＥＤ素子（発光素子）  ６、２４  検出手段
１５  タイマー                      ２１ａ  係合孔
２２  円柱状部材（支持部材）        ２３  光ファイバー
２８  表示手段
【図１】
0005463867.tif 000002
【図２】
0005463867.tif 000003
【図３】
0005463867.tif 000004